(57)【要約】      （修正有）【課題】キャリアアグリゲーションを行う無線通信システムにおいて、ユーザ装置がＣＡバンドコンビネーションの能力を基地局に通知する際の信号量を削減する技術を提供する。【解決手段】ユーザ装置は、能力情報要求信号を基地局から受信する受信部１０１と、キャリアアグリゲーションで使用可能なバンド組み合わせ及びバンド組み合わせに設定されるパラメータを示すバンド組み合わせ情報を生成する生成部１０４と、生成されたバンド組み合わせ情報を基地局に送信する送信部１０２と、を有する。最上位のバンド組み合わせ及び最上位のバンド組み合わせに設定されるパラメータと、最上位のバンド組み合わせに含まれる各々のバンド組み合わせのうち、各々のバンド組み合わせに対応するパラメータと異なるパラメータを有する、最上位のバンド組み合わせにおけるＣＣ数より少ないＣＣ数で構成されるフォールバックバンド組み合わせ情報を生成する。【選択図】図１１
2018137814.tif 000002
【特許請求の範囲】
【請求項１】
キャリアアグリゲーションに対応した無線通信システムにおいて基地局と通信するユーザ装置であって、
前記基地局がサポートしている複数のバンドを示す情報を含む能力情報要求信号を前記基地局から受信する受信部と、
前記基地局がサポートしている複数のバンド内で、前記ユーザ装置におけるキャリアアグリゲーションで使用可能なバンド組み合わせ及び前記バンド組み合わせに設定されるパラメータを示すバンド組み合わせ情報を生成する生成部と、
生成された前記バンド組み合わせ情報を基地局に送信する送信部と、を有し、
前記生成部は、前記基地局がサポートしている複数のバンド内で、最も多いＣＣ数で構成される最上位のバンド組み合わせ及び前記最上位のバンド組み合わせに設定されるパラメータと、前記最上位のバンド組み合わせに含まれる各々のバンド組み合わせのうち、前記各々のバンド組み合わせに対応するパラメータと異なるパラメータを有する、前記最上位のバンド組み合わせにおけるＣＣ数より少ないＣＣ数で構成されるフォールバックバンド組み合わせ及び前記フォールバックバンド組み合わせに設定されるパラメータと、を示す情報を含むバンド組み合わせ情報を生成するユーザ装置。
【請求項２】
キャリアアグリゲーションに対応した無線通信システムにおいてユーザ装置と通信する基地局であって、
前記基地局がサポートしている複数のバンドを示す情報を含む能力情報要求信号を前記ユーザ装置に送信する送信部と、
前記ユーザ装置から、キャリアアグリゲーションにおけるバンド組み合わせ及び前記バンド組み合わせに設定されるパラメータを示すバンド組み合わせ情報を受信する受信部と、
前記受信部により受信された前記バンド組み合わせ情報に含まれるバンドの組み合わせに応じて、前記ユーザ装置において使用可能なバンドの組み合わせ及び前記バンド組み合わせに設定されるパラメータを判定する判定部とを有し、
前記バンド組み合わせ情報は、前記基地局がサポートしている複数のバンド内で、最も多いＣＣ数で構成される最上位のバンド組み合わせ及び前記最上位のバンド組み合わせに設定されるパラメータと、前記最上位のバンド組み合わせに含まれる各々のバンド組み合わせのうち、前記各々のバンド組み合わせに対応するパラメータと異なるパラメータを有する、前記最上位のバンド組み合わせにおけるＣＣ数より少ないＣＣ数で構成されるフォールバックバンド組み合わせ及び前記フォールバックバンド組み合わせに設定されるパラメータと、を示す情報を含む基地局。
【請求項３】
キャリアアグリゲーションに対応した無線通信システムにおいて基地局と通信するユーザ装置が実行する情報通知方法であって、
前記基地局がサポートしている複数のバンドを示す情報を含む能力情報要求信号を前記基地局から受信する受信ステップと、
前記基地局がサポートしている複数のバンド内で、前記ユーザ装置におけるキャリアアグリゲーションで使用可能なバンド組み合わせ及び前記バンド組み合わせに設定されるパラメータを示すバンド組み合わせ情報を生成する生成ステップと、
生成された前記バンド組み合わせ情報を基地局に送信する送信ステップと、を有し、
前記生成ステップにおいて、前記基地局がサポートしている複数のバンド内で、最も多いＣＣ数で構成される最上位のバンド組み合わせ及び前記最上位バンド組み合わせに設定されるパラメータと、前記最上位バンド組み合わせに含まれる各々のバンド組み合わせのうち、前記各々のバンド組み合わせに対応するパラメータと異なるパラメータを有する、前記最上位のバンド組み合わせにおけるＣＣ数より少ないＣＣ数で構成されるフォールバックバンド組み合わせ及び前記フォールバックバンド組み合わせに設定されるパラメータと、を含むバンド組み合わせ情報を生成する情報通知方法。
【請求項４】
キャリアアグリゲーションに対応した無線通信システムにおいてユーザ装置と通信する基地局が実行する情報受信方法であって、
前記基地局がサポートしている複数のバンドを示す情報を含む能力情報要求信号を前記ユーザ装置に送信する送信ステップと、
前記ユーザ装置から、キャリアアグリゲーションにおけるバンド組み合わせ及び前記バンド組み合わせに設定されるパラメータを示すバンド組み合わせ情報を受信する受信ステップと、
受信された前記バンド組み合わせ情報に含まれるバンドの組み合わせに応じて、前記ユーザ装置において使用可能なバンドの組み合わせ及び前記バンド組み合わせに設定されるパラメータを判定する判定ステップと、を有し、
前記バンド組み合わせ情報は、前記基地局がサポートしている複数のバンド内で、最も多いＣＣ数で構成される最上位のバンド組み合わせ及び前記最上位のバンド組み合わせに設定されるパラメータと、前記最上位のバンド組み合わせに含まれる各々のバンド組み合わせのうち、前記各々のバンド組み合わせに対応するパラメータと異なるパラメータを有する、前記最上位のバンド組み合わせにおけるＣＣ数より少ないＣＣ数で構成されるフォールバックバンド組み合わせ及び前記フォールバックバンド組み合わせに設定されるパラメータと、を示す情報を含む情報受信方法。
【発明の詳細な説明】
【技術分野】
【０００１】
本発明は、ＬＴＥ等の無線通信システムにおけるユーザ装置ＵＥが、基地局ｅＮＢに自身の能力情報を通知する技術に関連するものである。
【背景技術】
【０００２】
ＬＴＥ−Ａｄｖａｎｃｅｄでは、ＬＴＥとのバックワードコンパチビリティを保ちつつ、ＬＴＥを上回るスループットを実現するために、ＬＴＥでサポートされている帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
キャリアアグリゲーションは、ＣＣの周波数配置により図１Ａ、図１Ｂ、図１Ｃに示すように３つのシナリオに分類される。図１Ａは、Ｉｎｔｒａ−ｂａｎｄ  ｃｏｎｔｉｇｕｏｕｓ  ＣＡであり、バンド内で連続するＣＣを配置するシナリオである。このシナリオは、例えば、３．５ＧＨｚ帯のような広帯域の割当てが行われる場合に適用される。図１Ｂは、Ｉｎｔｅｒ−ｂａｎｄ  ｎｏｎ−ｃｏｎｔｉｇｕｏｕｓ  ＣＡであり、異なるバンドのＣＣを複数配置するシナリオである。このシナリオは、例えば、２ＧＨｚ帯と１．５ＧＨｚ帯等の複数のキャリアを用いて通信を行う場合に適用される。図１Ｃは、Ｉｎｔｒａ−ｂａｎｄ  ｎｏｎ−ｃｏｎｔｉｇｕｏｕｓ  ＣＡであり、同じバンド内で非連続なＣＣを配置するシナリオである。このシナリオは、例えば、事業者への周波数帯域の割当てが断片的である場合等に適用される。
【０００４】
一方、ＬＴＥ（ＬＴＥ−Ａｄｖａｎｃｅｄを含む）システムにおいては、ユーザ装置ＵＥは、例えばネットワークへの接続時等に、自身の能力（Ｃａｐａｂｉｌｉｔｙ）を所定のシグナリングメッセージ（ＵＥ−ＥＵＴＲＡ−Ｃａｐａｂｉｌｉｔｙ）で基地局ｅＮＢに通知することが規定されている（非特許文献１）。
【先行技術文献】
【非特許文献】
【０００５】
【非特許文献１】３ＧＰＰ  ＴＳ４６．３３１  Ｖ１２．６．０  （２０１５−０６）
【非特許文献２】３ＧＰＰ  ＴＳ４６．１０１  Ｖ１３．０．０  （２０１５−０７）
【発明の概要】
【発明が解決しようとする課題】
【０００６】
上記の能力情報の通知において、ユーザ装置ＵＥは、自身がＣＡにおいてサポートするバンドの組み合わせ（ＣＡバンドコンビネーション、ＣＡ  ｂａｎｄ  ｃｏｍｂｉｎａｔｉｏｎ）を基地局ｅＮＢに通知する。また、ユーザ装置ＵＥが複数種類のＣＡバンドコンビネーションに対応できる場合、ユーザ装置ＵＥは、対応する全てのＣＡバンドコンビネーションのパターンを基地局ｅＮＢに通知するように現状は規定されている。
【０００７】
ＣＡバンドコンビネーションを通知するメッセージの構造例を図２に示す。図２に示すように、当該メッセージにて、ＵＬ／ＤＬ個別にＣＡバンドコンビネーションごとに各種パラメータを通知可能であり、更に、ＣＡバンドコンビネーションにおけるバンドごとに各種パラメータを通知可能である。図３Ａに、ＣＡバンドコンビネーションごとに設定可能なパラメータの一例を示しており、図３Ｂに、ＣＡバンドコンビネーションにおけるバンドごとに通知可能なパラメータの一例を示している。例えば「ｄｃ−Ｓｕｐｐｏｒｔ」は、ユーザ装置がＤｕａｌ  Ｃｏｎｎｅｃｔｉｂｉｔｙ（以下、「ＤＣ」という）に対応していることを示すパラメータである。「ｓｕｐｐｏｒｔＣＳＩ−Ｐｒｏｃ」は、ユーザ装置が対応可能なＣＳＩ（Channel State Information）プロセス数を示すパラメータである。「ＣＡ  ｂａｎｄｗｉｄｔｈｃｌａｓｓ」は、ユーザ装置が対応可能なバンド帯域幅クラス（ＵＬ／ＤＬ毎）を示すパラメータである。ｓｕｐｐｏｒｔｅｄＭＩＭＯ−Ｃａｐａｂｉｌｉｔｙは、ユーザ装置が対応可能なＭＩＭＯレイヤ数（ＵＬ／ＤＬ毎）を示すパラメータである。
【０００８】
ＣＳＩプロセス数とはユーザ装置内でＣＳＩを算出する際に動作可能な最大プロセス数であり、ＣｏＭＰ（Coordinated Multi-point）のためにＣＳＩを基地局に報告する際に用いられる。
【０００９】
ＣＡ  ｂａｎｄｗｉｄｔｈｃｌａｓｓとは、図４の表（非特許文献２）により定義されるクラスであり、周波数バンド毎に、ユーザ装置ＵＥでアグリゲート可能な帯域幅、ＣＣ数を示す。例えば、周波数帯２ＧＨｚ（Ｂａｎｄ  １）と１．５ＧＨｚ（Ｂａｎｄ  ２１）で各バンドの最大ＣＣ数が１、アグリゲート可能な最大帯域幅が１００ＲＢであり、かつ２ＣＣのｉｎｔｅｒ−ｂａｎｄ  ＣＡの場合、１Ａ＿２１Ａと標準仕様上記載されている。
【００１０】
図５Ａ及び図５Ｂに、ＣＡバンドコンビネーションを通知するシグナリングメッセージの具体例を示す。図５Ａ及び図５Ｂは、全体で１つのシグナリングメッセージを示している。図５Ａ及び図５Ｂに示す例は、２Ｇ＋１．５Ｇの下りのみのＣＡであり、下り２ｘ２ＭＩＭＯを行う能力を通知する例である。図５Ａ及び図５Ｂに示す例では、２バンドで下りＣＡを行うパターンから、１．５Ｇ単独で使用するパターンまで４種類のパターンが通知されている。
【００１１】
ユーザ装置ＵＥが最大で３ＤＬ／３ＵＬ  ＣＡにまで対応している場合に通知するＣＡバンドコンビネーションを図６に示す。なお、図５Ａ及び図５Ｂに示す４つのＣＡバンドコンビネーション（ＢａｎｄＣｏｍｂｉｎａｔｉｏｎＰａｒａｍｅｔｅｒｓ−ｒ１０）は、上から順に、それぞれ図６の「Ｎｏ．１３」、「Ｎｏ．１４」、「Ｎｏ．１８」、「Ｎｏ．１９」に対応している。
【００１２】
ここで、最大のＣＡ能力である３ＤＬ／３ＵＬよりも低い（ＤＬ、ＵＬのいずれか又は両方でＣＣ数が少ない）バンドコンビネーションをフォールバックバンドコンビネーション（Ｆａｌｌｂａｃｋ  ｂａｎｄ  ｃｏｍｂｉｎａｔｉｏｎ）と呼ぶ。図６の例では、ユーザ装置ＵＥは、３ＤＬ／３ＵＬとともに、その全てのフォールバックバンドコンビネーションに対応しているため、合計で１９個のＣＡバンドコンビネーションを基地局ｅＮＢに通知する。なお、図６の各ＣＡバンドコンビネーションにおける各バンドに示されている「Ａ」は、当該バンドにおけるＣＡ  ｂａｎｄｗｉｄｔｈｃｌａｓｓを意味している。なお、ＣＡをしない場合（Ｎｏｎ−ＣＡ、Ｎｏ．１７−１９）も、ＣＡのサブセットとして通知することが規定されている。また、上述のようにＣＡバンドコンビネーションでは各種パラメータを通知することができる。図７は、ＭＩＭＯレイヤ数に関するパラメータの通知例を示しており、ＣＡコンビネーションごとの各バンドでユーザ装置が対応可能なＭＩＭＯレイヤ数を示している。
【００１３】
上記のように、従来技術では、ユーザ装置ＵＥは、自身が対応しているＣＡバンドコンビネーションを全て通知しなければならないため、束ねるＣＣ数が増加するにつれて、通知するＣＡバンドコンビネーションの数が増加してしまう。Ｒｅｌ．１３のＬＴＥでは、より柔軟かつ高速な無線通信を実現するため、最大で３２ＣＣを束ねるＣＡが検討されている。従って従来技術がそのまま適用されると、通知すべきＣＡバンドコンビネーションの数が膨大になり、シグナリングのための信号量（情報量）も膨大になってしまうという課題がある。
【００１４】
本発明は上記の点に鑑みてなされたものであり、キャリアアグリゲーションを行う無線通信システムにおいて、ユーザ装置がＣＡバンドコンビネーションの能力を基地局に通知する際の信号量を削減する技術を提供することを目的とする。
【課題を解決するための手段】
【００１５】
本発明の実施の形態によれば、キャリアアグリゲーションに対応した無線通信システムにおいて基地局と通信するユーザ装置であって、前記基地局がサポートしている複数のバンドを示す情報を含む能力情報要求信号を前記基地局から受信する受信部と、前記基地局がサポートしている複数のバンド内で、前記ユーザ装置におけるキャリアアグリゲーションで使用可能なバンド組み合わせ及び前記バンド組み合わせに設定されるパラメータを示すバンド組み合わせ情報を生成する生成部と、生成された前記バンド組み合わせ情報を基地局に送信する送信部と、を有し、前記生成部は、前記基地局がサポートしている複数のバンド内で、最も多いＣＣ数で構成される最上位のバンド組み合わせ及び前記最上位のバンド組み合わせに設定されるパラメータと、前記最上位のバンド組み合わせに含まれる各々のバンド組み合わせのうち、前記各々のバンド組み合わせに対応するパラメータと異なるパラメータを有する、前記最上位のバンド組み合わせにおけるＣＣ数より少ないＣＣ数で構成されるフォールバックバンド組み合わせ及び前記フォールバックバンド組み合わせに設定されるパラメータと、を示す情報を含むバンド組み合わせ情報を生成するユーザ装置が提供される。
【００１６】
また、本発明の実施の形態によれば、キャリアアグリゲーションに対応した無線通信システムにおいてユーザ装置と通信する基地局であって、前記基地局がサポートしている複数のバンドを示す情報を含む能力情報要求信号を前記ユーザ装置に送信する送信部と、前記ユーザ装置から、キャリアアグリゲーションにおけるバンド組み合わせ及び前記バンド組み合わせに設定されるパラメータを示すバンド組み合わせ情報を受信する受信部と、前記受信部により受信された前記バンド組み合わせ情報に含まれるバンドの組み合わせに応じて、前記ユーザ装置において使用可能なバンドの組み合わせ及び前記バンド組み合わせに設定されるパラメータを判定する判定部とを有し、前記バンド組み合わせ情報は、前記基地局がサポートしている複数のバンド内で、最も多いＣＣ数で構成される最上位のバンド組み合わせ及び前記最上位のバンド組み合わせに設定されるパラメータと、前記最上位のバンド組み合わせに含まれる各々のバンド組み合わせのうち、前記各々のバンド組み合わせに対応するパラメータと異なるパラメータを有する、前記最上位のバンド組み合わせにおけるＣＣ数より少ないＣＣ数で構成されるフォールバックバンド組み合わせ及び前記フォールバックバンド組み合わせに設定されるパラメータと、を示す情報を含む基地局が提供される。
【発明の効果】
【００１７】
本発明の実施の形態によれば、キャリアアグリゲーションを行う無線通信システムにおいて、ユーザ装置がＣＡバンドコンビネーションの能力を基地局に通知する際の信号量を削減することが可能となる。
【図面の簡単な説明】
【００１８】
【図１Ａ】キャリアアグリゲーションの周波数配置例を示す図である。
【図１Ｂ】キャリアアグリゲーションの周波数配置例を示す図である。
【図１Ｃ】キャリアアグリゲーションの周波数配置例を示す図である。
【図２】ＣＡバンドコンビネーション情報を通知するメッセージの構造例を示す図である。
【図３Ａ】ＣＡバンドコンビネーションにおける各種パラメータを説明するための図である。
【図３Ｂ】ＣＡバンドコンビネーションにおける各種パラメータを説明するための図である。
【図４】ＣＡ−ＢａｎｄｗｉｄｔｈＣｌａｓｓを示す表である。
【図５Ａ】ＣＡバンドコンビネーション情報を通知するシグナリングメッセージの具体例を示す図である。
【図５Ｂ】ＣＡバンドコンビネーション情報を通知するシグナリングメッセージの具体例を示す図である。
【図６】ユーザ装置ＵＥが最大で３ＤＬ／３ＵＬ  ＣＡにまで対応している場合にＣＡバンドコンビネーションとして通知する情報を示す図である。
【図７】ＣＡバンドコンビネーションにおけるバンド毎に通知するＭＩＭＯレイヤ数の例を示す図である。
【図８】本発明の実施の形態に係る無線通信システムの構成図である。
【図９】３ＤＬ／３ＵＬを最上位とする全部で１９種類のＣＡバンドコンビネーションについて具体例を説明するための図である。
【図１０】パラメータが異なるＣＡバンドコンビネーションの具体例を説明するための図である。
【図１１】本発明の実施の形態に係るユーザ装置ＵＥの機能構成図である。
【図１２】本発明の実施の形態に係る基地局ｅＮＢの機能構成図である。
【図１３】本発明の実施の形態に係るユーザ装置ＵＥ及び基地局ｅＮＢのハードウェア構成図である。
【図１４】本発明の実施の形態に係る無線通信システムの動作を示すシーケンス図である。
【図１５】ＵＥＣａｐａｂｉｌｉｔｙＥｎｑｕｉｒｙメッセージの一例を示す図である。
【図１６】ＣＡバンドコンビネーション情報を生成する処理手順を示すフローチャートである。
【図１７】ＵＥ−ＥＵＴＲＡ−Ｃａｐａｂｉｌｉｔｙ Ｉｎｔｏｒｍａｔｉｏｎ Ｅｌｅｍｅｎｔの一例を示す図である。
【図１８】ＵＥ−ＥＵＴＲＡ−Ｃａｐａｂｉｌｉｔｙ Ｉｎｔｏｒｍａｔｉｏｎ Ｅｌｅｍｅｎｔの一例を示す図である。
【図１９】ＣＡバンドコンビネーション情報を生成する処理手順の説明である。
【図２０】３ＧＰＰで規定されたＣＡバンドコンビネーションの通知方法を示す図である。
【図２１】変形例１に係る無線通信システムの動作を示すシーケンス図である。
【図２２】変形例１に係るＲＲＣレイヤの動作を示す仕様変更例を示す図である。
【図２３Ａ】変形例１に係るUECapabilityEnquiryの仕様変更例を示す図である。
【図２３Ｂ】変形例１に係るUECapabilityEnquiryの仕様変更例を示す図である。
【図２４】変形例１に係るUE-EUTRA-Capabilityの仕様変更例（その１）を示す図である。
【図２５】変形例１に係るUECapablityInformationの仕様変更例を示す図である。
【図２６】変形例１に係るUE-EUTRA-Capabilityの仕様変更例（その２）を示す図である。
【発明を実施するための形態】
【００１９】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥ−Ａｄｖａｎｃｅｄを含むＬＴＥに対応していることを想定しているが、本発明はＬＴＥに限らず、ＣＡを行う他の方式にも適用可能である。以下、特に断らない限り、「ＬＴＥ」は、ＬＴＥ−Ａｄｖａｎｃｅｄを含む意味で使用する。
【００２０】
＜システム全体構成、動作例＞
図８に本発明の実施の形態に係る無線通信システムの構成図を示す。本実施の形態に係る通信システムは、ＬＴＥ方式の通信システムであり、図８に示すように、ユーザ装置ＵＥ、及び基地局ｅＮＢを含む。ユーザ装置ＵＥ、及び基地局ｅＮＢは、ＣＡを行うことが可能である。図８には、ユーザ装置ＵＥ、及び基地局ｅＮＢが１つずつ示されているが、これは例であり、それぞれ複数であってもよい。また、ユーザ装置ＵＥは、複数の基地局ｅＮＢと同時に通信を行う能力（ＤＣ）を備えていてもよい。
【００２１】
本実施の形態において、ユーザ装置ＵＥは、基地局ｅＮＢに対して対応可能なバンドの組み合わせを示すＣＡバンドコンビネーション情報を送信する。なお、以下、任意のバンドの組み合わせを意図する場合は主に「ＣＡバンドコンビネーション」、「フォールバックバンドコンビネーション」を用い、メッセージで運ばれる情報を意図する場合は主に「ＣＡバンドコンビネーションを示す情報」、「フォールバックバンドコンビネーションを示す情報」等を用いる。
【００２２】
本実施の形態においては、ユーザ装置ＵＥが、あるＣＡバンドコンビネーションとそのフォールバックバンドコンビネーションの全てに対応している場合、当該ユーザ装置ＵＥはフォールバックバンドコンビネーションを示す情報の通知を省略し、最上位のＣＡバンドコンビネーションを示す情報のみを通知する。また、ＣＡバンドコンビネーションにおける各種パラメータ（図３）についても、当該最上位のＣＡバンドコンビネーションのみにおける各種パラメータについて通知を行う。
【００２３】
なお、最上位のＣＡバンドコンビネーションとは、ユーザ装置ＵＥが対応可能な全てのＣＡバンドコンビネーションのうち、ＵＬ及びＤＬの両方において組み合わせるＣＣ数が最も多いＣＡバンドコンビネーションを意味する。
【００２４】
基地局ｅＮＢは、ユーザ装置ＵＥから、あるＣＡバンドコンビネーションを示す情報を受信し、かつそのＣＡバンドコンビネーションのフォールバックバンドコンビネーションを示す情報を１つも受信しなかった場合に、当該ユーザ装置ＵＥは、受信したＣＡバンドコンビネーションとともに、そのフォールバックバンドコンビネーションについても全て対応していると判断する。
【００２５】
なお、ユーザ装置ＵＥがＩｎｔｒａ−ｂａｎｄ  ｃｏｎｔｉｇｕｏｕｓＣＡをサポートしている場合において、ユーザ装置ＵＥが上位のＣＡ  ｂａｎｄｗｉｄｔｈｃｌａｓｓに対応している場合、本実施の形態では、ユーザ装置ＵＥは下位ＣＡ  ｂａｎｄｗｉｄｔｈｃｌａｓｓにも全て対応しているとみなすようにする。具体的には、ユーザ装置ＵＥが所定の周波数帯において「Ａ〜Ｆ」のＣＡ  ｂａｎｄｗｉｄｔｈｃｌａｓｓにすべて対応している場合、ユーザ装置ＵＥは、ＣＡバンドコンビネーションにおける所定のバンドに関するＣＡ  ｂａｎｄｗｉｄｔｈｃｌａｓｓで「Ｆ」を通知する。基地局ｅＮＢは、当該ユーザ装置ＵＥは、所定のバンドにおいて、「Ａ」〜「Ｆ」の全てのＣＡ  ｂａｎｄｗｉｄｔｈｃｌａｓｓについて対応していると判断するようにする。
【００２６】
続いて、ユーザ装置ＵＥが、ある最上位のＣＡバンドコンビネーションに対応するが、その全てのフォールバックバンドコンビネーションのうち一部のフォールバックバンドコンビネーションには対応してない場合、本実施の形態においては、ユーザ装置ＵＥは、最上位のＣＡバンドコンビネーションに加えて、対応していないフォールバックバンドコンビネーションを基地局ｅＮＢに通知するようにする。
【００２７】
基地局ｅＮＢは、ユーザ装置ＵＥから、あるＣＡバンドコンビネーションを示す情報を受信し、かつ対応していないＣＡバンドコンビネーションを示す情報を受信した場合、基地局ｅＮＢは、受信したＣＡバンドコンビネーションと共に、その全てのフォールバックバンドコンビネーションのうち、対応していないフォールバックバンドコンビネーション以外のフォールバックバンドコンビネーションについては全て対応していると判断する。
【００２８】
更に、ユーザ装置ＵＥが、あるＣＡバンドコンビネーションとそのフォールバックバンドコンビネーションの全てに対応している場合であっても、一部のフォールバックバンドコンビネーションにおいて、最上位のＣＡバンドコンビネーションにおける各種パラメータと異なるパラメータを有するフォールバックバンドコンビネーションが存在する場合（すなわち、最上位のＣＡバンドコンビネーションとの間でパラメータに差分がある場合）が想定される。この場合、ユーザ装置ＵＥは、各種パラメータのうち異なるパラメータのみが設定されたフォールバックバンドコンビネーションを示す情報を通知するようにする。異なるパラメータのみが設定されたフォールバックバンドコンビネーションを示す情報を受信した基地局ｅＮＢは、当該フォールバックバンドコンビネーションにおいて通知されないパラメータについては、最上位のＣＡバンドコンビネーションと同一であると判断するようにする。
【００２９】
＜具体例＞
一例として、図９に示すように、３ＤＬ／３ＵＬを最上位とする全部で１９種類のＣＡバンドコンビネーションのセットについて具体例を説明する。なお、本実施の形態では、最大３２ＣＣを束ねるＣＡを想定しているため、最も最上位のＣＡバンドコンビネーションは３２ＤＬ／３２ＵＬになるが、組み合わせパターンが膨大になるため、図示の便宜上、３ＤＬ／３ＵＬを最上位とするＣＡバンドコンビネーションのセットを用いて説明する。
【００３０】
なお、ユーザ装置ＵＥが１９種類のＣＡバンドコンビネーションの全てに対応し、各ＣＡバンドコンビネーションにおける各種パラメータ（ＤＣ対応有無、ＭＩＭＯレイヤ数、ＣＳＩプロセス数など）が全て同じであるとする。
【００３１】
この場合、本実施の形態におけるユーザ装置ＵＥは、図９のＸに示すＮｏ．１のＣＡバンドコンビネーション（すなわち、最上位のＣＡバンドコンビネーション）と、Ｎｏ．１のＣＡバンドコンビネーションにおける各種パラメータのみが設定されたＣＡバンドコンビネーション情報を基地局ｅＮＢに通知し、Ｎｏ．１のＣＡバンドコンビネーションのフォールバックバンドコンビネーションであるＮｏ．２〜１９については通知を行わない。
【００３２】
上記のようにＮｏ．１〜１９のうちのＮｏ．１のＣＡバンドコンビネーションのみの情報をユーザ装置ＵＥから受信した基地局ｅＮＢは、当該ユーザ装置ＵＥにおいてＮｏ．１〜１９の全てに対応していると判断する。また、Ｎｏ．２〜１９のＣＡバンドコンビネーションにおける各種パラメータについては、Ｎｏ．１のＣＡバンドコンビネーション情報に含まれる各種パラメータと同じであると判断する。
【００３３】
一方、ユーザ装置ＵＥが、図９に示すＣＡバンドコンビネーションのうちのＮｏ．６、１０（図９のＹ、Ｚ）に対応していない場合、ユーザ装置ＵＥは、Ｎｏ．６、１０に対応していないことを示すＣＡバンドコンビネーション情報を基地局ｅＮＢに送信する。
【００３４】
この場合、基地局ｅＮＢは、Ｎｏ．１のＣＡバンドコンビネーション情報に加えて、Ｎｏ．６、１０に対応していないことを示すＣＡバンドコンビネーション情報を受信するので、前述したとおり、基地局ｅＮＢは、ユーザ装置ＵＥが、最上位のＣＡバンドコンビネーション（Ｎｏ．１）と、そのフォールバックバンドコンビネーションであるＮｏ．２〜Ｎｏ．１９のフォールバックバンドコンビネーションうち、Ｎｏ．６、１０以外のフォールバックバンドコンビネーションに対応していると判断する。
【００３５】
更に、ユーザ装置ＵＥが、最上位のＣＡバンドコンビネーションの全てのフォールバックバンドコンビネーションのうち、一部のフォールバックバンドコンビネーションにおいて、最上位のＣＡバンドコンビネーションにおける各種パラメータと異なるパラメータを有するフォールバックバンドコンビネーションが存在する場合の具体例を説明する。例えば、図１０に示すように、ユーザ装置ＵＥは、最上位のＣＡバンドコンビネーションでは、８００Ｍ、１．５Ｇ、２Ｇで、それぞれ２レイヤのＭＩＭＯをサポートするが、ＮＯ．２のフォールバックバンドコンビネーションでは、１．５Ｇで４レイヤのＭＩＭＯをサポートし、ＮＯ．４のフォールバックバンドコンビネーションでは、２Ｇで４レイヤのＭＩＭＯをサポートしていると仮定する。
【００３６】
ユーザ装置ＵＥは、ＮＯ．２における各バンドのうち、１．５Ｇで４レイヤのＭＩＭＯをサポートし、ＮＯ．４における各バンドのうち、２Ｇで４レイヤのＭＩＭＯをサポートしていることを示すパラメータが設定されたフォールバックバンドコンビネーションを示す情報を更に基地局ｅＮＢに送信する。なお、当該フォールバックバンドコンビネーションを示す情報には、ＮＯ．２における各バンドのうち、８００Ｍで２レイヤのＭＩＭＯをサポートすること、及び、ＮＯ．４における各バンドのうち、８００Ｍで２レイヤのＭＩＭＯをサポートすること示すパラメータは設定されないようにする。
【００３７】
この場合、基地局ｅＮＢは、Ｎｏ．１のＣＡバンドコンビネーションを示す情報に加えて、ＮＯ．２における各バンドのうち、１．５Ｇで４レイヤのＭＩＭＯをサポートし、ＮＯ．４における各バンドのうち、２Ｇで４レイヤのＭＩＭＯをサポートしていることを示すパラメータが設定されたフォールバックバンドコンビネーションを示す情報を受信する。基地局ｅＮＢは、当該ユーザ装置ＵＥにおいてＮｏ．１〜１９の全てに対応していると判断すると共に、Ｎｏ．２における１．５Ｇで４レイヤのＭＩＭＯに対応し、Ｎｏ．４における２Ｇで４レイヤのＭＩＭＯに対応し、他のパラメータについてはＮｏ．１における各種パラメータと同じであると判断する。
【００３８】
なお、以上説明した通知方法は組み合わせることもできる。つまり、ユーザ装置ＵＥは、Ｎｏ．１のＣＡバンドコンビネーションを示す情報に加えて、Ｎｏ．６、１０に対応していないことを示すフォールバックバンドコンビネーションを示す情報と、ＮＯ．２における各バンドのうち、１．５Ｇで４レイヤのＭＩＭＯをサポートし、ＮＯ．４における各バンドのうち、２Ｇで４レイヤのＭＩＭＯをサポートしていることを示すパラメータが設定されたフォールバックバンドコンビネーションを示す情報を送信することもできる。
【００３９】
この場合、基地局ｅＮＢは、ユーザ装置ＵＥが、最上位のＣＡバンドコンビネーション（Ｎｏ．１）と、そのフォールバックバンドコンビネーション（Ｎｏ．２〜Ｎｏ．１９）のうちＮｏ．６、１０以外のフォールバックバンドコンビネーションに対応していると共に、Ｎｏ．２における１．５Ｇで４レイヤのＭＩＭＯに対応し、Ｎｏ．４における２Ｇで４レイヤのＭＩＭＯＩに対応し、他のパラメータについてはＮｏ．１における各種パラメータと同じであると判断する。
【００４０】
以上、ユーザ装置ＵＥは、最上位のＣＡバンドコンビネーションを自身の能力に応じて通知したが、基地局ｅＮＢから指示された複数のバンドでフィルタして通知することもできる。例えば、基地局ｅＮＢから８００Ｍ及び１．５Ｇで組み合わせ可能なＣＡバンドコンビネーションのみを通知するように指示された場合、ユーザ装置ＵＥは、８００Ｍ及び１．５Ｇで組み合わせ可能なＣＡバンドコンビネーションの中で、最上位のＣＡバンドコンビネーション、非対応のフォールバックバンドコンビネーション、パラメータ差分があるフォールバックバンドコンビネーションを通知するようにしてもよい。
【００４１】
ＣＡバンドコンビネーション情報を受信した基地局ｅＮＢは、その後、例えば、ユーザ装置ＵＥのＣＣ毎の通信品質等に基づいて、ユーザ装置ＵＥがサポートするＣＡコンビネーションの中からどのＣＡコンビネーションを適用するかを決定し、決定したＣＡコンビネーションをユーザ装置ＵＥに通知する（コンフィギュアする）等の動作を行う。
【００４２】
このような動作を行うために、基地局ｅＮＢは、例えば、最上位のＣＡバンドコンビネーション毎に、当該ＣＡバンドコンビネーションとそのフォールバックバンドコンビネーションを含むテーブル（例：図９）を保持する。ここで、最上位のＣＡバンドコンビネーション及びそのフォールバックバンドコンビネーションは、ユーザ装置ＵＥと基地局ｅＮＢ間で一意に定まるように決めれば、どのような内容であってもよい。例えば、図９に示す最上位のＣＡコンビネーションＮｏ．１のフォールバックバンドコンビネーション（Ｎｏ．２〜Ｎｏ．１９）は、通信システムにおいて一意に定まり、基地局ｅＮＢは、最上位のＣＡコンビネーションＮｏ．１に対応するフォールバックバンドコンビネーション（Ｎｏ．２〜Ｎｏ．１９）を把握している。
【００４３】
＜機能構成＞
（ユーザ装置）
図１１に、本実施の形態におけるユーザ装置ＵＥの機能構成図を示す。図１１に示すように、ユーザ装置ＵＥは、ＤＬ信号受信部１０１、ＵＬ信号送信部１０２、ＵＥ能力情報格納部１０３、生成部１０４を備える。なお、図１１は、ユーザ装置ＵＥにおいて本発明に特に関連する機能部のみを示すものであり、少なくともＬＴＥに準拠した動作を行うための図示しない機能も有するものである。
【００４４】
ＤＬ信号受信部１０１は、基地局ｅＮＢから各種の下り信号を受信し、受信した物理レイヤの信号からより上位のレイヤの情報を取得する機能を含み、ＵＬ信号送信部１０２は、ユーザ装置ＵＥから送信されるべき上位のレイヤの情報から、物理レイヤの各種信号を生成し、基地局ｅＮＢに対して送信する機能を含む。
【００４５】
ＵＥ能力情報格納部１０３は、ユーザ装置ＵＥ自身がサポートしているＣＡバンドコンビネーション、ＣＡバンドコンビネーションにおける各種パラメータを含むＵＥ能力情報を格納する。
【００４６】
生成部１０４は、ＣＡバンドコンビネーション情報を基地局ｅＮＢに送信する場合に、ＵＥ能力情報格納部１０３を参照し、最上位のＣＡバンドコンビネーション、非対応のフォールバックバンドコンビネーション、パラメータ差分のあるフォールバックバンドコンビネーションを示すＣＡバンドコンビネーション情報を生成する。また、生成部１０４は、生成したＣＡバンドコンビネーション情報を基地局ｅＮＢに送信するようにＵＬ信号送信部１０２に指示する。
【００４７】
なお、生成部１０４は、基地局ｅＮＢから、基地局ｅＮＢがサポートしている複数のバンドが通知された場合、当該複数のバンドの中で最上位のＣＡバンドコンビネーション、非対応のフォールバックバンドコンビネーション、パラメータ差分のあるフォールバックバンドコンビネーションを示すＣＡバンドコンビネーション情報を生成するようにしてもよい。
【００４８】
また、生成部１０４は、基地局ｅＮＢからの指示に従い、ＣＡバンドコンビネーション情報のフォーマットを切替えるようにしてもよい。例えば、基地局ｅＮＢが本実施の形態におけるフォーマットのＣＡバンドコンビネーション情報に対応していない場合、従来のＣＡバンドコンビネーション情報のフォーマットに従ってＣＡバンドコンビネーション情報を生成するようにしてもよい。
【００４９】
（基地局）
図１２に、本実施の形態における基地局ｅＮＢの機能構成図を示す。図１２に示すように、基地局ｅＮＢは、ＤＬ信号送信部２０１、ＵＬ信号受信部２０２、ＣＡバンドコンビネーション情報格納部２０３、ＵＥ能力判定部２０４を有する。なお、図１２は、基地局ｅＮＢにおいて本発明の実施の形態に特に関連する機能部のみを示すものであり、少なくともＬＴＥ方式に準拠した動作を行うための図示しない機能も有するものである。
【００５０】
ＤＬ信号送信部２０１は、基地局ｅＮＢから送信されるべき上位のレイヤの情報から、物理レイヤの各種信号を生成し、ユーザ装置ＵＥに対して送信する機能を含む。ＵＬ信号受信部２０２は、ユーザ装置ＵＥから各種の上り信号を受信し、受信した物理レイヤの信号からより上位のレイヤの情報を取得する機能を含む。
【００５１】
ＣＡバンドコンビネーション情報格納部２０３は、最上位のＣＡバンドコンビネーションと、そのフォールバックバンドコンビネーションの全てを含むテーブル情報を格納する。例えば、図９に示すようなテーブル情報を格納する。
【００５２】
ＵＥ能力判定部２０４は、ユーザ装置ＵＥから受信したＣＡバンドコンビネーション情報に基づいて、当該ユーザ装置ＵＥがサポートするＣＡバンドコンビネーション（フォールバックバンドコンビネーションを含む）及び、ユーザ装置ＵＥがサポートする各種パラメータを判定する。
【００５３】
＜ハードウェア構成＞
上記機能構成の説明に用いたブロック図（図１１及び図１２）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００５４】
例えば、本発明の実施の形態におけるユーザ装置ＵＥ及び基地局ｅＮＢは、本発明の情報通知方法又は情報受信方法の処理を行うコンピュータとして機能してもよい。図１３は、本発明の実施の形態に係るユーザ装置ＵＥ及び基地局ｅＮＢのハードウェア構成を示す図である。上述のユーザ装置ＵＥ及び基地局ｅＮＢは、物理的には、プロセッサ１００１、メモリ１００２、ストレージ１００３、通信装置１００４、入力装置１００５、出力装置１００６、バス１００７などを含むコンピュータ装置として構成されてもよい。
【００５５】
なお、以下の説明では、「装置」という文言は、回路、デバイス、ユニットなどに読み替えることができる。ユーザ装置ＵＥ及び基地局ｅＮＢのハードウェア構成は、図に示した各装置を１つ又は複数含むように構成されてもよいし、一部の装置を含まずに構成されてもよい。
【００５６】
ユーザ装置ＵＥ及び基地局ｅＮＢにおける各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００５７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ユーザ装置ＵＥのＤＬ信号受信部１０１と、ＵＬ信号送信部１０２と、ＵＥ能力情報格納部１０３と、生成部１０４と、基地局ｅＮＢのＤＬ信号送信部２０１と、ＵＬ信号受信部２０２と、ＣＡバンドコンビネーション情報格納部２０３と、ＵＥ能力判定部２０４とは、プロセッサ１００１で実現されてもよい。
【００５８】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ユーザ装置ＵＥのＤＬ信号受信部１０１と、ＵＬ信号送信部１０２と、ＵＥ能力情報格納部１０３と、生成部１０４と、基地局ｅＮＢのＤＬ信号送信部２０１と、ＵＬ信号受信部２０２と、ＣＡバンドコンビネーション情報格納部２０３と、ＵＥ能力判定部２０４とは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００５９】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の実施の形態に係る情報通知方法又は情報受信方法を実施するために実行可能なプログラム（プログラムコード）、ソフトウェアモジュールなどを保存することができる。
【００６０】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００６１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ユーザ装置ＵＥのＤＬ信号受信部１０１と、ＵＬ信号送信部１０２と、基地局ｅＮＢのＤＬ信号送信部２０１と、ＵＬ信号受信部２０２とは、通信装置１００４で実現されてもよい。
【００６２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６３】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００６４】
また、ユーザ装置ＵＥ及び基地局ｅＮＢは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６５】
＜処理手順＞
（動作シーケンス）
図１４は、本発明の実施の形態に係る無線通信システムの動作を示すシーケンス図である。
【００６６】
ステップＳ１１で、基地局ｅＮＢのＤＬ信号送信部２０１は、ユーザ装置ＵＥに能力情報要求信号を送信する。能力情報要求信号は、例えば、「ＵＥＣａｐａｂｉｌｉｔｙＥｎｑｕｉｒｙメッセージ」でもよい。なお、ＤＬ信号送信部２０１は、本実施の形態におけるＣＡバンドコンビネーション情報（以下、便宜上「新たなフォーマットのＣＡバンドコンビネーション情報」と呼ぶ）に対応している場合、当該能力情報要求信号に、新たなフォーマットのＣＡバンドコンビネーション情報を要求することを示す情報を含めるようにする。当該情報は、例えば、「ｅｎｈａｎｃｅｄＣＡｃａｐａｂｉｌｉｔｙＲｅｑｕｅｓｔ」と呼ばれてもよい。「ＵＥＣａｐａｂｉｌｉｔｙＥｎｑｕｉｒｙメッセージ」の具体例を図１５に示す。なお、基地局ｅＮＢのＤＬ信号送信部２０１は、基地局ｅＮＢがサポートしている複数のバンドを示す情報を能力情報要求信号に含めてもよい。基地局ｅＮＢがサポートしている複数のバンドを示す情報とは、例えば、「ｒｅｑｕｅｓｔｅｄＦｒｅｑｕｅｎｃｙＢａｎｄｓ」と呼ばれる。
【００６７】
ステップＳ１２で、ユーザ装置ＵＥの生成部１０４は、ＣＡバンドコンビネーション情報を生成する。生成部１０４は、基地局ｅＮＢから新たなフォーマットのＣＡバンドコンビネーション情報を要求されており、かつ、ユーザ装置ＵＥ自身が新たなフォーマットのＣＡバンドコンビネーション情報を生成する能力を有する場合、新たなフォーマットのＣＡバンドコンビネーション情報を生成する。一方、生成部１０４は、基地局ｅＮＢから新たなフォーマットのＣＡバンドコンビネーション情報を要求されていない場合、又は、ユーザ装置ＵＥ自身が新たなフォーマットのＣＡバンドコンビネーション情報を生成する能力を有していない場合（若しくは、新たなフォーマットのＣＡバンドコンビネーション情報を要求することを示す情報を認識出来ない場合）、従来のフォーマットのＣＡバンドコンビネーション情報を生成する。ここで、生成部１０４が新たなフォーマットのＣＡバンドコンビネーション情報を生成する際の処理手順を具体的に説明する。
【００６８】
図１６は、ＣＡバンドコンビネーション情報を生成する処理手順を示すフローチャートである。また、図１７及び図１８に、具体的なＣＡバンドコンビネーション情報の一例を示す。
【００６９】
ステップＳ２１で、生成部１０４は、ユーザ装置ＵＥ自身が対応しているＣＡバンドコンビネーションのうち最上位のＣＡバンドコンビネーションを示す情報をＣＡバンドコンビネーション情報に含める。なお、「最上位のＣＡバンドコンビネーションを示す情報」は、図１７及び図１８に示すように「ＢａｎｄＣｏｍｂｉｎａｔｉｏｎＰａｒａｍｅｔｅｒｓＰａｒｅｎｔ」と呼ばれてもよい。
【００７０】
ステップＳ２２で、生成部１０４は、最上位のＣＡバンドコンビネーションのフォールバックバンドコンビネーションの全てのうち、ユーザ装置ＵＥが対応していないフォールバックバンドコンビネーションがあるかを確認する。対応していないフォールバックバンドコンビネーションがある場合はステップＳ２３に進み、ない場合はステップＳ２４に進む。
【００７１】
ステップＳ２３で、生成部１０４は、非対応のフォールバックバンドコンビネーションを示す情報をＣＡバンドコンビネーション情報に含める。なお、「非対応のフォールバックバンドコンビネーションを示す情報」は、図１７及び図１８に示すように「ｎｏｎ−ＳｕｐｐｏｒｔｅｄＢａｎｄＣｏｍｂｉｎａｔｉｏｎＣｈｉｌｄ」と呼ばれてもよい。
【００７２】
ステップＳ２４で、生成部１０４は、対応しているフォールバックバンドコンビネーションのうち、最上位のＣＡバンドコンビネーションにおける各種パラメータと異なるパラメータを有するフォールバックバンドコンビネーションがあるかを確認する。最上位のＣＡバンドコンビネーションにおける各種パラメータと異なるパラメータを有するフォールバックバンドコンビネーションがある場合は、ステップＳ２５に進み、ない場合はＣＡバンドコンビネーション情報の生成処理を終了する。
【００７３】
ステップＳ２５で、生成部１０４は、各種パラメータのうち最上位のＣＡバンドコンビネーションと異なるパラメータのみが設定されたフォールバックバンドコンビネーションの情報を、ＣＡバンドコンビネーション情報に含める。なお、「各種パラメータのうち最上位のＣＡバンドコンビネーションと異なるパラメータのみが設定されたフォールバックバンドコンビネーションの情報」は、図１７及び図１８に示すように「ｓｕｐｐｏｒｔｅｄＢａｎｄＣｏｍｂｉｎａｔｉｏｎＣｈｉｌｄＥｘｔ」と呼ばれてもよい。なお、ステップＳ２４及びステップＳ２５において、生成部１０４は、「各種パラメータのうち最上位のＣＡバンドコンビネーションと異なるパラメータのみが設定されたフォールバックバンドコンビネーションの情報」に、各種パラメータのうち最上位のＣＡバンドコンビネーションと異なるパラメータのみを設定するのではなく、当該異なるパラメータに加えて、最上位のＣＡバンドコンビネーションと同一値であるパラメータのうち一部のパラメータ（例えばＭＩＭＯレイヤ数等）を設定してＣＡバンドコンビネーション情報に含めるようにしてもよい。また、ステップＳ２４及びステップＳ２５において、生成部１０４は、各種パラメータのうち最上位のＣＡバンドコンビネーションと異なるパラメータを有するフォールバックバンドコンビネーションについて、全てのパラメータ（すなわち、当該異なるパラメータ及び同一値のパラメータの全て）が設定されたフォールバックバンドコンビネーションの情報をＣＡバンドコンビネーション情報に含めるようにしてもよい。これにより、基地局ｅＮＢがユーザ装置ＵＥの能力を誤認識してしまう可能性を減らすことができる。
【００７４】
なお、基地局ｅＮＢがサポートしている複数のバンドを示す情報が通知されている場合、生成部１０４は、ステップＳ２１乃至ステップＳ２５の処理手順において、通知された複数のバンド内で最上位のＣＡバンドコンビネーションを示す情報、非対応のフォールバックバンドコンビネーションを示す情報、及び各種パラメータのうち最上位のＣＡバンドコンビネーションと異なるパラメータのみが設定されたフォールバックバンドコンビネーションの情報をＣＡバンドコンビネーション情報に含めるようにする。言い換えると、生成部１０４は、基地局ｅＮＢから通知された複数のバンドでフィルタされたＣＡバンドコンビネーション情報を生成するようにしてもよい。図１４に戻り説明を続ける。
【００７５】
ステップＳ１３で、ユーザ装置ＵＥのＵＬ信号送信部１０２は、生成したＣＡバンドコンビネーション情報を含む能力情報通知信号を基地局ｅＮＢに送信する。能力情報通知信号は、例えば、「ＵＥＣａｐａｂｉｌｉｔｙＩｎｆｏｒｍａｔｉｏｎメッセージ」でもよい。基地局ｅＮＢのＵＥ能力判定部２０４は、受信した能力情報通知信号に含まれるＣＡバンドコンビネーション情報に基づき、当該ユーザ装置ＵＥがサポートするＣＡバンドコンビネーション（フォールバックバンドコンビネーションを含む）及び、ユーザ装置ＵＥがサポートする各種パラメータを判定する。
【００７６】
ＵＥ能力判定部２０４は、ＣＡバンドコンビネーション情報に最上位のＣＡバンドコンビネーションを示す情報のみが含まれている場合、当該ユーザ装置ＵＥは、最上位のＣＡバンドコンビネーションとともに、そのフォールバックバンドコンビネーションについても全て対応していると判断する。
【００７７】
また、ＵＥ能力判定部２０４は、ＣＡバンドコンビネーション情報に最上位のＣＡバンドコンビネーションを示す情報と、非対応のフォールバックバンドコンビネーションを示す情報が含まれている場合、当該ユーザ装置ＵＥは、最上位のＣＡバンドコンビネーションと、その全てのフォールバックバンドコンビネーションのうち、非対応のフォールバックバンドコンビネーション以外のフォールバックバンドコンビネーションに対応していると判断する。
【００７８】
また、ＣＡバンドコンビネーション情報に最上位のＣＡバンドコンビネーションを示す情報と、各種パラメータのうち最上位のＣＡバンドコンビネーションと異なるパラメータのみが設定されたフォールバックバンドコンビネーションの情報とが含まれている場合、ＵＥ能力判定部２０４は、当該ユーザ装置ＵＥは、最上位のＣＡバンドコンビネーションとともに、そのフォールバックバンドコンビネーションについても全て対応していると判断すると共に、一部のフォールバックバンドコンビネーションについては、最上位のＣＡバンドコンビネーションとは異なるパラメータに対応していると判断する。
【００７９】
また、ＣＡバンドコンビネーション情報に最上位のＣＡバンドコンビネーションを示す情報と、非対応のフォールバックバンドコンビネーションを示す情報と、各種パラメータのうち最上位のＣＡバンドコンビネーションと異なるパラメータのみが設定されたフォールバックバンドコンビネーションの情報とが含まれている場合、ＵＥ能力判定部２０４は、当該ユーザ装置ＵＥは、最上位のＣＡバンドコンビネーションと、その全てのフォールバックバンドコンビネーションのうち、非対応のフォールバックバンドコンビネーション以外のフォールバックバンドコンビネーションに対応していると判断すると共に、更に一部のフォールバックバンドコンビネーションについては、最上位のＣＡバンドコンビネーションとは異なるパラメータに対応していると判断する。
【００８０】
［変形例１］
以上、本発明の実施の形態に係る無線通信システムが行う動作について説明したが、以下では、本無線通信システムが行う動作の他の例について、変形例１として説明する。ここで、３ＧＰＰのリリース１３で規定されたＣＡバンドコンビネーションの通知方法を図２０を用いて説明する。
【００８１】
ステップＳ３１で、基地局ｅＮＢは、requestReducedFormat及びrequestSkipFallbackCombが含まれる能力情報要求信号（UECapabilityEnquiry）を送信する。ここで、requestReducedFormatは、従来のフォーマット（supportedBandCombination-r10）に代えて、リリース１３で規定されたフォーマット（supportedBandCombinationReduced-r13）を用いてＣＡバンドコンビネーションを報告すべきとの指示を示している。requestSkipFallbackCombは、フォールバックバンドコンビネーションを省略し、最上位のＣＡバンドコンビネーションのみを報告すべきとの指示を示している。
【００８２】
ステップＳ３２で、ユーザ装置ＵＥは、最上位のＣＡバンドコンビネーションを示す情報を含むＣＡバンドコンビネーション情報を、能力情報通知信号（UECapabilityInformation）に含めて基地局ｅＮＢに送信する。ここで、ユーザ装置ＵＥは、対応しているフォールバックバンドコンビネーションのうち、最上位のＣＡバンドコンビネーションにおける各種パラメータと異なるパラメータを有するフォールバックバンドコンビネーションがある場合、「最上位のＣＡバンドコンビネーションにおける各種パラメータと異なるパラメータを有するフォールバックバンドコンビネーションが存在することを示す情報（differentFallbackSupported）」を能力情報通知信号に含める。
【００８３】
ステップＳ３３で、differentFallbackSupportedが含まれる能力情報通知信号を受信した基地局ｅＮＢは、最上位のＣＡバンドコンビネーションにおける各種パラメータと異なるパラメータを有するフォールバックバンドコンビネーションに関する詳細な情報を取得したい場合、再度、能力情報要求信号（UECapabilityEnquiry）を送信する。なお、基地局ｅＮＢは、ステップＳ３１で送信された能力情報要求信号と異なり、ステップＳ３３で送信する能力情報要求信号にrequestReducedFormat及びrequestSkipFallbackCombを含めずにユーザ装置ＵＥに送信する。すなわち、基地局ｅＮＢは、従来のフォーマット（supportedBandCombination-r10）のＣＡバンドコンビネーション情報（つまり、全てのＣＡバンドコンビネーションを含むＣＡバンドコンビネーション情報）をユーザ装置ＵＥに要求する。
【００８４】
ステップＳ３４で、ユーザ装置ＵＥは、従来のフォーマットのＣＡバンドコンビネーション情報を含む能力情報通知信号を基地局ｅＮＢに送信する。
【００８５】
以上説明したように、３ＧＰＰのリリース１３で規定されたＣＡバンドコンビネーションの通知方法では、ユーザ装置ＵＥが対応しているフォールバックバンドコンビネーションのうち、最上位のＣＡバンドコンビネーションにおける各種パラメータと異なるパラメータを有するフォールバックバンドコンビネーションがある場合、ユーザ装置ＵＥは、従来のフォーマットのＣＡバンドコンビネーション情報を基地局ｅＮＢに報告することになる。従来のフォーマットのＣＡバンドコンビネーション情報には全てのＣＡバンドコンビネーションが含まれることから、シグナリング量が膨大になるという課題がある。
【００８６】
そこで、変形例１では、最上位のＣＡバンドコンビネーションにおける各種パラメータと異なるパラメータを有するフォールバックバンドコンビネーションがある場合に、当該異なるパラメータを有するフォールバックバンドコンビネーションを効率的に基地局ｅＮＢに報告可能な仕組みを提案する。
【００８７】
＜機能構成＞
変形例１に係るユーザ装置ＵＥ及び基地局ｅＮＢの機能構成について説明する。変形例１に係るユーザ装置ＵＥの機能構成及び基地局ｅＮＢの機能構成は、それぞれ図１１及び図１２と同一であるため、基本例と相違する機能部のみを説明する。
【００８８】
（ユーザ装置）
生成部１０４は、当該ユーザ装置ＵＥにおけるＣＡで使用可能なＣＡバンドコンビネーションの各々に対応するパラメータのうち、最上位のＣＡバンドコンビネーションに対応するパラメータと異なるパラメータを有するフォールバックバンドコンビネーションがある場合、当該異なるパラメータを有するフォールバックバンドコンビネーションが存在することを示す情報を更に含むＣＡバンドコンビネーション情報を生成する。
【００８９】
また、生成部１０４は、基地局ｅＮＢから、所定のＣＡバンドコンビネーションにおけるフォールバックコンビネーションのうち、当該所定のＣＡバンドコンビネーションに対応するパラメータと異なるパラメータを有するフォールバックバンドコンビネーションの報告を指示された場合、当該所定のＣＡバンドコンビネーションにおけるフォールバックバンドコンビネーションのうち、当該所定のＣＡバンドコンビネーションに対応するパラメータと異なるパラメータを有するフォールバックバンドコンビネーションを示す情報を含むＣＡバンドコンビネーション情報を生成する。
【００９０】
（基地局）
ＵＥ能力判定部２０４は、ユーザ装置ＵＥから、当該ユーザ装置ＵＥにおけるＣＡで使用可能なＣＡバンドコンビネーションの各々に対応するパラメータのうち、最上位のＣＡバンドコンビネーションに対応するパラメータと異なるパラメータを有するフォールバックバンドコンビネーションが存在することを示す情報を含むＣＡバンドコンビネーション情報を受信した場合、ユーザ装置ＵＥに、最上位のＣＡバンドコンビネーションに対応するパラメータと異なるパラメータを有するフォールバックバンドコンビネーションに対応する能力があると認識する。
【００９１】
ＤＬ信号送信部２０１は、ユーザ装置ＵＥに、最上位のＣＡバンドコンビネーションに対応するパラメータと異なるパラメータを有するフォールバックバンドコンビネーションに対応する能力があるとＵＥ能力判定部２０４で認識された場合、所定のＣＡバンドコンビネーションにおけるフォールバックコンビネーションのうち、当該所定のＣＡバンドコンビネーションに対応するパラメータと異なるパラメータを有するフォールバックバンドコンビネーションの報告を指示する信号をユーザ装置ＵＥに送信するようにしてもよい。
【００９２】
＜処理手順＞
（動作シーケンス）
図２１は、本発明の変形例１に係る無線通信システムの動作を示すシーケンス図である。ステップＳ４１の処理手順は、図２０のステップＳ３１と同一であるため説明は省略する。
【００９３】
ステップＳ４２で、ユーザ装置ＵＥの生成部１０４は、最上位のＣＡバンドコンビネーションを示す情報を含むＣＡバンドコンビネーション情報を生成する。また、生成部１０４は、対応しているフォールバックバンドコンビネーションのうち、最上位のＣＡバンドコンビネーションにおける各種パラメータと異なるパラメータを有するフォールバックバンドコンビネーションがある場合、最上位のＣＡバンドコンビネーションを示す情報と、「最上位のＣＡバンドコンビネーションにおける各種パラメータと異なるパラメータを有するフォールバックバンドコンビネーションが存在することを示す情報（differentFallbackSupported）」とを含むＣＡバンドコンビネーション情報を生成する。
【００９４】
ステップＳ４３で、ユーザ装置ＵＥのＵＬ信号送信部１０２は、生成したＣＡバンドコンビネーション情報を含む能力情報通知信号（UECapabilityInformation）を基地局ｅＮＢに送信する。なお、ステップＳ４２及びステップＳ４３は、図２０のステップＳ３２に該当する。
【００９５】
ステップＳ４４で、基地局ｅＮＢのＤＬ信号送信部は、differentFallbackSupportedが含まれる能力情報通知信号を受信した場合で、かつ、最上位のＣＡバンドコンビネーションにおける各種パラメータと異なるパラメータを有するフォールバックバンドコンビネーションに関する詳細な情報を取得したい場合、再度、能力情報要求信号（UECapabilityEnquiry）を送信する。ここで、基地局ｅＮＢのＤＬ信号送信部は、「所定のＣＡバンドコンビネーションにおけるフォールバックコンビネーションのうち、当該所定のＣＡバンドコンビネーションに対応するパラメータと異なるパラメータを有するフォールバックバンドコンビネーションの報告を要求する指示」を能力要求信号に含めてユーザ装置ＵＥに送信する。当該指示は、requestDiffFallbackCombListと呼ばれてもよい。
【００９６】
所定のＣＡバンドコンビネーションとは、ユーザ装置ＵＥから通知された能力情報通知信号に含まれる最上位のＣＡバンドコンビネーションと同一であることを想定しているが、必ずしもこれに限定されず、基地局ｅＮＢが報告を希望するＣＡバンドコンビネーションを含む。例えば、ステップＳ４３の処理手順でユーザ装置ＵＥから複数の最上位のＣＡバンドコンビネーションが報告された場合、所定のＣＡバンドコンビネーションとは、当該複数の最上位のＣＡバンドコンビネーションのうち、基地局ｅＮＢが報告を希望する１以上の最上位のＣＡバンドコンビネーションであってもよい。また、所定のＣＡバンドコンビネーションとは、例えば、ステップＳ４３の処理手順でユーザ装置ＵＥから報告された最上位のＣＡバンドコンビネーションのフォールバックコンビネーションのうち、基地局ｅＮＢがサポートする１以上の最上位のＣＡバンドコンビネーションであってもよい。例えば、ユーザ装置ＵＥから報告された最上位のＣＡバンドコンビネーションが１Ａ−３Ａ−１９Ａ−４２Ａであり、かつ、基地局ｅＮＢがサポートするＣＡバンドコンビネーションが、１Ａ−３Ａ−１９Ａ及びそのフォールバックコンビネーション、及び、３Ａ−１９Ａ―４２Ａ及びそのフォールバックコンビネーションのみであったとする。この場合、基地局ｅＮＢは、所定のＣＡバンドコンビネーションとして、１Ａ−３Ａ−１９Ａ−４２Ａではなく、１Ａ−３Ａ−１９Ａ、及び、３Ａ−１９Ａ―４２Ａを通知するようにしてもよい。これにより、基地局ｅＮＢは、ユーザ装置ＵＥに報告させるＣＡバンドコンビネーションを、基地局ｅＮＢ自身が報告を希望するＣＡバンドコンビネーションに絞ることができ、シグナリング量を削減することが可能になる。
【００９７】
また、ステップＳ４４で送信される能力情報要求信号には、更に、リリース１３で規定されたフォーマット（supportedBandCombinationReduced-r13）を用いてＣＡバンドコンビネーションを報告すべきとの指示（requestReducedFormat）が含まれていてもよい。
【００９８】
ステップＳ４５で、ユーザ装置ＵＥの生成部１０４は、ステップＳ４４で受信した能力情報要求信号に、「所定のＣＡバンドコンビネーションにおけるフォールバックコンビネーションのうち、当該所定のＣＡバンドコンビネーションに対応するパラメータと異なるパラメータを有するフォールバックバンドコンビネーションの報告を要求する指示」が含まれている場合、「所定のＣＡバンドコンビネーションに対応するパラメータと異なるパラメータを有するフォールバックバンドコンビネーションを示す情報」を含むＣＡバンドコンビネーション情報を生成する。
【００９９】
「所定のＣＡバンドコンビネーションに対応するパラメータと異なるパラメータを有するフォールバックバンドコンビネーションを示す情報」は、当該所定のＣＡバンドコンビネーションに対応するパラメータと異なるパラメータのみを含むＣＡバンドコンビネーションの情報であってもよい。例えば、ユーザ装置ＵＥは、１Ａ−３Ａ−１９Ａ−４２Ａのフォールバックコンビネーションである１９Ａ−４２ＡのＣＡバンドコンビネーションにおいて、１９Ａのバンドのみ２レイヤ及び４レイヤのＭＩＭＯをサポートしており、当該４２Ａのバンド及びその他のＣＡバンドコンビネーションの各バンドでは全て２レイヤのＭＩＭＯのみをサポートしている場合を想定する。この場合において、基地局ｅＮＢから、所定のＣＡバンドコンビネーションとして、１Ａ−３Ａ−１９Ａ−４２Ａが指定された場合、ユーザ装置ＵＥの生成部１０４は、１９Ａ−４２ＡのＣＡバンドコンビネーションにおいて、１９Ａのバンドでは４レイヤのＭＩＭＯをサポートし、４２Ａのバンドでは２レイヤのＭＩＭＯをサポートしていることのみを示すＣＡバンドコンビネーションの情報を生成するようにしてもよい。言い換えると、１９Ａ−４２ＡのＣＡバンドコンビネーションにおいて、１９Ａのバンドでは２レイヤのＭＩＭＯをサポートし、４２Ａのバンドでは２レイヤのＭＩＭＯをサポートしていることを示すＣＡバンドコンビネーションの情報については生成しないようにしてもよい。
【０１００】
また、ステップＳ４５で生成するＣＡバンドコンビネーション情報には、基地局ｅＮＢへのエコーバックとして、所定のＣＡバンドコンビネーションに対応するパラメータと異なるパラメータを有するフォールバックバンドコンビネーションの最上位のＣＡバンドコンビネーションを示す情報を含めるようにしてもよい。当該最上位のＣＡバンドコンビネーションを示す情報は、requestedDiffFallbackCombListと呼ばれてもよい。これにより、基地局ｅＮＢは、自身が能力情報要求信号に含めた所定のＣＡバンドコンビネーションを意識せずに、ユーザ装置ＵＥから通知された能力情報通知信号のみを用いて、どの範囲のＣＡバンドコンビネーション（つまり、通知された最上位のＣＡバンドコンビネーション及びそのフォールバックコンビネーションの範囲）に対して、異なるパラメータを有するＣＡバンドコンビネーション（フォールバックコンビネーション）がユーザ装置ＵＥから報告されたのかを把握することができる。
【０１０１】
なお、当該最上位のＣＡバンドコンビネーションを示す情報（requestedDiffFallbackCombList）は、より具体的には、ステップＳ４４で受信された能力要求信号に含まれる「所定のＣＡバンドコンビネーション」と同一のＣＡバンドコンビネーションを示す情報であってもよい。また、これに限られず、当該最上位のＣＡバンドコンビネーションを示す情報は、所定のＣＡバンドコンビネーションに対応するパラメータと異なるパラメータを有するフォールバックバンドコンビネーションの上位に該当するＣＡバンドコンビネーションを示す情報であれば、必ずしもステップＳ４４で受信された能力要求信号に含まれる「所定のＣＡバンドコンビネーション」と同一のＣＡバンドコンビネーションを示す情報でなくてもよい。これにより、ユーザ装置ＵＥは、所定のＣＡバンドコンビネーションに対応するパラメータと異なるパラメータを有するフォールバックバンドコンビネーションのうち一部のフォールバックコンビネーションのみを報告することが可能になる。
【０１０２】
ステップＳ４６で、ユーザ装置ＵＥのＵＬ信号送信部１０２は、ステップＳ４５で生成したＣＡバンドコンビネーション情報を含む能力情報通知信号を基地局ｅＮＢに送信する。基地局ｅＮＢのＵＥ能力判定部２０４は、受信した能力情報通知信号に含まれるＣＡバンドコンビネーション情報に基づき、所定のＣＡバンドコンビネーションに対応するパラメータと異なるパラメータを有するフォールバックバンドコンビネーションを把握することができる。
【０１０３】
なお、能力情報要求（Ｓ４１、Ｓ４４）において、基地局ｅＮＢがサポートしている複数のバンドを示す情報（requestedFrequencyBands）が通知されている場合、生成部１０４は、ステップＳ４２及びステップＳ４５の処理手順において、それぞれ、通知された複数のバンド内で「最上位のＣＡバンドコンビネーションを示す情報」、通知された複数のバンド内で「所定のＣＡバンドコンビネーションに対応するパラメータと異なるパラメータを有するフォールバックバンドコンビネーションを示す情報」をＣＡバンドコンビネーション情報に含めるようにする。言い換えると、生成部１０４は、基地局ｅＮＢから通知された複数のバンドでフィルタされたＣＡバンドコンビネーション情報を生成するようにしてもよい。
【０１０４】
（仕様変更例）
続いて、変形例１におけるＲＲＣメッセージの仕様変更例を説明する。
【０１０５】
図２２は、図２１のステップＳ４４〜ステップＳ４６で説明した、ユーザ装置ＵＥが能力情報通知を生成する際のＲＲＣレイヤの動作を示す仕様変更例を示す図である。
【０１０６】
図２２において「5> else if the UE supports requestReducedFormat and UE supports diffFallbackCombReport and UECapabilityEnquiry message includes requestDiffFallbackCombList:」として記載されているように、ユーザ装置ＵＥが、リリース１３で規定されたフォーマットに対応しており（requestReducedFormat）、変形例１に示す動作に対応しており（diffFallbackCombReport）、かつ、「所定のＣＡバンドコンビネーションにおけるフォールバックコンビネーションのうち、当該所定のＣＡバンドコンビネーションに対応するパラメータと異なるパラメータを有するフォールバックバンドコンビネーションの報告を要求する指示」（requestDiffFallbackCombList）を含む能力情報要求（UECapabilityEnquiry）を受信した場合、ユーザ装置ＵＥは以下の動作を行う。
【０１０７】
具体的には、まず、「6> for each CA band combination indicated in requestDiffFallbackCombList, include its fallback band combinations for which the capabilities are different from the band combination indicated in requestDiffFallbackCombList;」と記載されているように、ユーザ装置ＵＥは、基地局ｅＮＢから指示された所定のＣＡバンドコンビネーション（requestDiffFallbackCombListに含まれる１以上のＣＡバンドコンビネーション）のフォールバックバンドコンビネーションの各々において、所定のＣＡバンドコンビネーションと異なるパラメータ（能力：Capability）を有するフォールバックバンドコンビネーションを含む能力情報通知（UECapabilityInformation）を生成する。
【０１０８】
また、「6> include CA band combinations with the highest supported number of DL and UL carriers whose fallback combinations with different capabilities are to be reported, into requestedDiffFallbackCombList;」と記載されているように、ユーザ装置ＵＥは、異なるパラメータ（能力:Capability）を有するフォールバックコンビネーションの最上位のＣＡバンドコンビネーション（CA band combinations with the highest supported number of DL and UL carriers）を、requestedDiffFallbackCombListに含める。
【０１０９】
図２３Ａ及び図２３Ｂは、図２１のステップＳ４４で送信される能力情報要求の仕様変更例を示す図である。図２３ＡはUECapabilityEnquiryメッセージの仕様変更例を示し、図２３Ｂは、UECapabilityEnquiryメッセージに含まれる各フィールドの説明を示している。図２１のステップＳ４４で説明した「所定のＣＡバンドコンビネーションにおけるフォールバックコンビネーションのうち、当該所定のＣＡバンドコンビネーションに対応するパラメータと異なるパラメータを有するフォールバックバンドコンビネーションの報告を要求する指示」は、図２３Ａ及び図２３Ｂの「requestDiffFallbackCombList」に該当する。
【０１１０】
図２４は、図２１のステップＳ４６で送信される能力情報通知の仕様変更例（その１）を示す図である。図２４の例は、既存のシグナリング（UE-EUTRA-Capability）を拡張する場合の仕様変更例を示している。
【０１１１】
図２１のステップＳ４６で説明した「所定のＣＡバンドコンビネーションに対応するパラメータと異なるパラメータを有するフォールバックバンドコンビネーションを示す情報」を含むＣＡバンドコンビネーション情報は、図２４の「supportedBandCombinationReduced」に該当する。また、図２１のステップＳ４６で説明した、「基地局ｅＮＢへのエコーバックとして、所定のＣＡバンドコンビネーションに対応するパラメータと異なるパラメータを有するフォールバックバンドコンビネーションの最上位のＣＡバンドコンビネーションを示す情報」は、図２４の「requestedDiffFallbackCombList」に該当する。また、図２４の「diffFallbackCombReport」は、ユーザ装置ＵＥが変形例１に示す動作に対応していることを示す情報であり、基地局ｅＮＢへのエコーバックとして設定される。
【０１１２】
図２５及び図２６は、図２１のステップＳ４６で送信される能力情報通知の仕様変更例（その２）を示す図である。図２５及び図２６の例は、図２４の例と異なり、新たなUECapablityInformationメッセージを規定する場合の仕様変更例を示している。本仕様変更例では、既存のシグナリング（UE-EUTRA-Capability）に必須の情報要素を削減することができるため、図２４の例と比較してシグナリング量を削減することが可能である。
【０１１３】
図２１のステップＳ４６で説明した「所定のＣＡバンドコンビネーションに対応するパラメータと異なるパラメータを有するフォールバックバンドコンビネーションを示す情報」を含むＣＡバンドコンビネーション情報は、図２５の「supportedBandCombinationReduced」に該当する。また、図２１のステップＳ４６で説明した、「基地局ｅＮＢへのエコーバックとして、所定のＣＡバンドコンビネーションに対応するパラメータと異なるパラメータを有するフォールバックバンドコンビネーションの最上位のＣＡバンドコンビネーションを示す情報」は、図２５の「requestedDiffFallbackCombList」に該当する。また、図２６の「diffFallbackCombReport」は、ユーザ装置ＵＥが変形例１に示す動作に対応していることを示す情報であり、基地局ｅＮＢへのエコーバックとして設定される。
【０１１４】
以上、変形例１によれば、最上位のＣＡバンドコンビネーションにおける各種パラメータと異なるパラメータを有するフォールバックバンドコンビネーションをユーザ装置ＵＥが基地局ｅＮＢに報告する際のシグナリング量を、リリース１３で規定された処理手順におけるシグナリング量よりも削減することが可能になる。
【０１１５】
＜まとめ＞
以上、実施の形態によれば、キャリアアグリゲーションに対応した無線通信システムにおいて基地局と通信するユーザ装置であって、当該ユーザ装置におけるキャリアアグリゲーションで使用可能なバンド組み合わせを示すバンド組み合わせ情報を生成する生成部と、生成した前記バンド組み合わせ情報を基地局に送信する送信部と、を有し、前記生成部は、当該ユーザ装置におけるキャリアアグリゲーションで使用可能なバンド組み合わせのうち、組み合わせるＣＣ数が最も多い最上位のバンド組み合わせを示す最上位バンド組み合わせ情報を含む前記バンド組み合わせ情報を生成する、ユーザ装置が提供される。このユーザ装置ＵＥにより、キャリアアグリゲーションを行う無線通信システムにおいて、ユーザ装置がＣＡバンドコンビネーションの能力を基地局に通知する際の信号量を削減する技術が提供される。
【０１１６】
また、前記生成部は、当該ユーザ装置におけるキャリアアグリゲーションで使用可能なバンド組み合わせの各々に対応するパラメータのうち、前記最上位のバンド組み合わせに対応するパラメータと異なるパラメータを有するバンド組み合わせがある場合、当該異なるパラメータを有するバンド組み合わせを示す例外バンド組み合わせ情報を更に含む前記バンド組み合わせ情報を生成するようにしてもよい。これにより、対応していないフォールバックバンドコンビネーションが存在する場合であっても、ユーザ装置ＵＥは、当該対応してないフォールバックバンドコンビネーションのみを基地局ｅＮＢに通知すればよいため、ＣＡバンドコンビネーションの能力を基地局に通知する際の信号量を削減することができる。
【０１１７】
また、前記生成部は、前記基地局から前記基地局がサポートしている複数のバンドが通知された場合、当該複数のバンドの中で組み合わせるＣＣ数が最も多い最上位のバンド組み合わせを示す最上位バンド組み合わせ情報を含む前記バンド組み合わせ情報を生成するようにしてもよい。これにより、最上位のＣＡバンドコンビネーションとはパラメータが異なる（パラメータに差分がある）フォールバックバンドコンビネーションが存在する場合であっても、ユーザ装置ＵＥは、当該パラメータが異なるフォールバックバンドコンビネーションのみを基地局ｅＮＢに通知すればよいため、ＣＡバンドコンビネーションの能力を基地局に通知する際の信号量を削減することができる。
【０１１８】
また、前記生成部は、前記基地局から指示された場合に前記バンド組み合わせ情報を生成し、前記基地局から指示されない場合は従来のフォーマットに従ってバンド組み合わせ情報を生成するようにしてもよい。基地局ｅＮＢの能力に応じてＣＡバンドコンビネーション情報のフォーマットを切替えることが可能になる。
【０１１９】
また、前記生成部は、前記基地局から、所定のバンド組み合わせにおけるＣＣ数より少ないＣＣ数である全てのバンド組み合わせのうち、前記所定のバンド組み合わせに対応するパラメータと異なるパラメータを有するバンド組み合わせの報告を指示された場合、前記最上位のバンド組み合わせ情報に代えて、前記所定のバンド組み合わせにおけるＣＣ数より少ないＣＣ数である全てのバンド組み合わせのうち、前記所定のバンド組み合わせに対応するパラメータと異なるパラメータを有するバンド組み合わせを示す情報を含む前記バンド組み合わせ情報を生成するようにしてもよい。これにより、最上位のＣＡバンドコンビネーションにおける各種パラメータと異なるパラメータを有するフォールバックバンドコンビネーションがある場合に、当該異なるパラメータを有するフォールバックバンドコンビネーションを効率的に基地局に報告することが可能になる。
【０１２０】
また、実施の形態によれば、キャリアアグリゲーションに対応した無線通信システムにおいてユーザ装置と通信する基地局であって、前記ユーザ装置から、キャリアアグリゲーションにおけるバンドの組み合わせを示すバンド組み合わせ情報を受信する受信部と、前記受信部により受信された前記バンド組み合わせ情報に含まれるバンドの組み合わせに応じて、前記ユーザ装置において使用可能なバンドの組み合わせを判定する判定部と、を有し、前記判定部は、前記バンド組み合わせ情報に、前記ユーザ装置におけるキャリアアグリゲーションで使用可能なバンド組み合わせのうち、組み合わせるＣＣ数が最も多い最上位のバンド組み合わせを示す最上位バンド組み合わせ情報が含まれている場合、前記ユーザ装置は、前記最上位のバンド組み合わせと、前記最上位のバンド組み合わせにおけるＣＣ数より少ないＣＣ数である全てのバンド組み合わせとを使用可能であると判定する、基地局が提供される。この基地局ｅＮＢにより、キャリアアグリゲーションを行う無線通信システムにおいて、ユーザ装置がＣＡバンドコンビネーションの能力を基地局に通知する際の信号量を削減する技術が提供される。
【０１２１】
また、実施の形態によれば、キャリアアグリゲーションに対応した無線通信システムにおいて基地局と通信するユーザ装置が実行する情報通知方法であって、当該ユーザ装置におけるキャリアアグリゲーションで使用可能なバンド組み合わせを示すバンド組み合わせ情報を生成する生成ステップと、生成した前記バンド組み合わせ情報を基地局に送信する送信ステップと、を有し、前記生成ステップにおいて、当該ユーザ装置におけるキャリアアグリゲーションで使用可能なバンド組み合わせのうち、組み合わせるＣＣ数が最も多い最上位のバンド組み合わせを示す最上位バンド組み合わせ情報を含む前記バンド組み合わせ情報を生成する、情報通知方法が提供される。この情報通知方法により、キャリアアグリゲーションを行う無線通信システムにおいて、ユーザ装置がＣＡバンドコンビネーションの能力を基地局に通知する際の信号量を削減する技術が提供される。
【０１２２】
また、実施の形態によれば、キャリアアグリゲーションに対応した無線通信システムにおいてユーザ装置と通信する基地局が実行する情報受信方法であって、前記ユーザ装置から、キャリアアグリゲーションにおけるバンドの組み合わせを示すバンド組み合わせ情報を受信する受信ステップと、前記受信部により受信された前記バンド組み合わせ情報に含まれるバンドの組み合わせに応じて、前記ユーザ装置において使用可能なバンドの組み合わせを判定する判定ステップと、を有し、前記判定ステップにおいて、前記バンド組み合わせ情報に、前記ユーザ装置におけるキャリアアグリゲーションで使用可能なバンド組み合わせのうち、組み合わせるＣＣ数が最も多い最上位のバンド組み合わせを示す最上位バンド組み合わせ情報が含まれている場合、前記ユーザ装置は、前記最上位のバンド組み合わせと、前記最上位のバンド組み合わせにおけるＣＣ数より少ないＣＣ数である全てのバンド組み合わせとを使用可能であると判定する、情報受信方法が提供される。この情報受信方法により、キャリアアグリゲーションを行う無線通信システムにおいて、ユーザ装置がＣＡバンドコンビネーションの能力を基地局に通知する際の信号量を削減する技術が提供される。
【０１２３】
＜付記＞
以上説明した実施の形態に関し、更に以下の付記のようにも記載できる。
（付記１）
キャリアアグリゲーションに対応した無線通信システムにおいて基地局と通信するユーザ装置であって、
当該ユーザ装置におけるキャリアアグリゲーションで使用可能なバンド組み合わせを示すバンド組み合わせ情報を生成する生成部と、
生成した前記バンド組み合わせ情報を基地局に送信する送信部と、を有し、
前記生成部は、当該ユーザ装置におけるキャリアアグリゲーションで使用可能なバンド組み合わせのうち、組み合わせるＣＣ数が最も多い最上位のバンド組み合わせを示す最上位バンド組み合わせ情報と、当該ユーザ装置が対応していない非対応のバンド組み合わせを示す非対応バンド組み合わせ情報と、を含む前記バンド組み合わせ情報を生成する、ユーザ装置。
（付記２）
前記生成部は、当該ユーザ装置におけるキャリアアグリゲーションで使用可能なバンド組み合わせの各々に対応するパラメータのうち、前記最上位のバンド組み合わせに対応するパラメータと異なるパラメータを有するバンド組み合わせがある場合、当該異なるパラメータを有するバンド組み合わせを示す例外バンド組み合わせ情報を更に含む前記バンド組み合わせ情報を生成する、付記１に記載のユーザ装置。
（付記３）
前記生成部は、前記基地局から前記基地局がサポートしている複数のバンドが通知された場合、当該複数のバンドの中で組み合わせるＣＣ数が最も多い最上位のバンド組み合わせを示す最上位バンド組み合わせ情報と、当該複数のバンドの中で当該ユーザ装置が対応していない非対応のバンド組み合わせを示す非対応バンド組み合わせ情報と、当該複数のバンドの中で前記最上位バンド組み合わせに対応するパラメータと異なるパラメータを有するバンド組み合わせを示す例外バンド組み合わせ情報を含む前記バンド組み合わせ情報を生成する、付記２に記載のユーザ装置。
（付記４）
前記生成部は、前記基地局から指示された場合に前記バンド組み合わせ情報を生成し、前記基地局から指示されない場合は従来のフォーマットに従ってバンド組み合わせ情報を生成する、付記１乃至３のいずれか一項に記載のユーザ装置。
（付記５）
キャリアアグリゲーションに対応した無線通信システムにおいてユーザ装置と通信する基地局であって、
前記ユーザ装置から、キャリアアグリゲーションにおけるバンドの組み合わせを示すバンド組み合わせ情報を受信する受信部と、
前記受信部により受信された前記バンド組み合わせ情報に含まれるバンドの組み合わせに応じて、前記ユーザ装置において使用可能なバンドの組み合わせを判定する判定部と、を有し、
前記判定部は、前記バンド組み合わせ情報に、前記ユーザ装置におけるキャリアアグリゲーションで使用可能なバンド組み合わせのうち、組み合わせるＣＣ数が最も多い最上位のバンド組み合わせを示す最上位バンド組み合わせ情報と、前記ユーザ装置が対応していない非対応のバンド組み合わせを示す非対応バンド組み合わせ情報とが含まれている場合、前記ユーザ装置は、前記最上位のバンド組み合わせと、前記最上位のバンド組み合わせにおけるＣＣ数より少ないＣＣ数である全てのバンド組み合わせのうち、前記非対応のバンド組み合わせ以外のバンドの組み合わせを使用可能であると判定する、基地局。
（付記６）
キャリアアグリゲーションに対応した無線通信システムにおいて基地局と通信するユーザ装置が実行する情報通知方法であって、
当該ユーザ装置におけるキャリアアグリゲーションで使用可能なバンド組み合わせを示すバンド組み合わせ情報を生成する生成ステップと、
生成した前記バンド組み合わせ情報を基地局に送信する送信ステップと、を有し、
前記生成ステップにおいて、当該ユーザ装置におけるキャリアアグリゲーションで使用可能なバンド組み合わせのうち、組み合わせるＣＣ数が最も多い最上位のバンド組み合わせを示す最上位バンド組み合わせ情報と、当該ユーザ装置が対応していない非対応のバンド組み合わせを示す非対応バンド組み合わせ情報と、を含む前記バンド組み合わせ情報を生成する、情報通知方法。
（付記７）
キャリアアグリゲーションに対応した無線通信システムにおいてユーザ装置と通信する基地局が実行する情報受信方法であって、
前記ユーザ装置から、キャリアアグリゲーションにおけるバンドの組み合わせを示すバンド組み合わせ情報を受信する受信ステップと、
受信された前記バンド組み合わせ情報に含まれるバンドの組み合わせに応じて、前記ユーザ装置において使用可能なバンドの組み合わせを判定する判定ステップと、を有し、
前記判定ステップにおいて、前記バンド組み合わせ情報に、前記ユーザ装置におけるキャリアアグリゲーションで使用可能なバンド組み合わせのうち、組み合わせるＣＣ数が最も多い最上位のバンド組み合わせを示す最上位バンド組み合わせ情報と、前記ユーザ装置が対応していない非対応のバンド組み合わせを示す非対応バンド組み合わせ情報とが含まれている場合、前記ユーザ装置は、前記最上位のバンド組み合わせと、前記最上位のバンド組み合わせにおけるＣＣ数より少ないＣＣ数である全てのバンド組み合わせのうち、前記非対応のバンド組み合わせ以外のバンドの組み合わせを使用可能であると判定する、情報受信方法。
（付記８）
キャリアアグリゲーションに対応した無線通信システムにおいて基地局と通信するユーザ装置であって、
当該ユーザ装置におけるキャリアアグリゲーションで使用可能なバンド組み合わせを示すバンド組み合わせ情報を生成する生成部と、
生成した前記バンド組み合わせ情報を基地局に送信する送信部と、を有し、
前記生成部は、当該ユーザ装置におけるキャリアアグリゲーションで使用可能なバンド組み合わせのうち、組み合わせるＣＣ数が最も多い最上位のバンド組み合わせを示す最上位バンド組み合わせ情報を含む前記バンド組み合わせ情報を生成する、ユーザ装置。
（付記９）
前記生成部は、前記基地局から前記基地局がサポートしている複数のバンドが通知された場合、当該複数のバンドの中で組み合わせるＣＣ数が最も多い最上位のバンド組み合わせを示す最上位バンド組み合わせ情報を含む前記バンド組み合わせ情報を生成する、付記８に記載のユーザ装置。
（付記１０）
前記生成部は、前記基地局から指示された場合に前記バンド組み合わせ情報を生成し、前記基地局から指示されない場合は従来のフォーマットに従ってバンド組み合わせ情報を生成する、付記８又は９に記載のユーザ装置。
（付記１１）
前記生成部は、前記基地局から、所定のバンド組み合わせにおけるＣＣ数より少ないＣＣ数である全てのバンド組み合わせのうち、前記所定のバンド組み合わせに対応するパラメータと異なるパラメータを有するバンド組み合わせの報告を指示された場合、前記最上位のバンド組み合わせ情報に代えて、前記所定のバンド組み合わせにおけるＣＣ数より少ないＣＣ数である全てのバンド組み合わせのうち、前記所定のバンド組み合わせに対応するパラメータと異なるパラメータを有するバンド組み合わせを示す情報を含む前記バンド組み合わせ情報を生成する、付記８乃至１０のいずれかひとつに記載のユーザ装置。
（付記１２）
キャリアアグリゲーションに対応した無線通信システムにおいてユーザ装置と通信する基地局であって、
前記ユーザ装置から、キャリアアグリゲーションにおけるバンドの組み合わせを示すバンド組み合わせ情報を受信する受信部と、
前記受信部により受信された前記バンド組み合わせ情報に含まれるバンドの組み合わせに応じて、前記ユーザ装置において使用可能なバンドの組み合わせを判定する判定部と、を有し、
前記判定部は、前記バンド組み合わせ情報に、前記ユーザ装置におけるキャリアアグリゲーションで使用可能なバンド組み合わせのうち、組み合わせるＣＣ数が最も多い最上位のバンド組み合わせを示す最上位バンド組み合わせ情報が含まれている場合、前記ユーザ装置は、前記最上位のバンド組み合わせと、前記最上位のバンド組み合わせにおけるＣＣ数より少ないＣＣ数である全てのバンド組み合わせとを使用可能であると判定する、基地局。
（付記１３）
キャリアアグリゲーションに対応した無線通信システムにおいて基地局と通信するユーザ装置が実行する情報通知方法であって、
当該ユーザ装置におけるキャリアアグリゲーションで使用可能なバンド組み合わせを示すバンド組み合わせ情報を生成する生成ステップと、
生成した前記バンド組み合わせ情報を基地局に送信する送信ステップと、を有し、
前記生成ステップにおいて、当該ユーザ装置におけるキャリアアグリゲーションで使用可能なバンド組み合わせのうち、組み合わせるＣＣ数が最も多い最上位のバンド組み合わせを示す最上位バンド組み合わせ情報を含む前記バンド組み合わせ情報を生成する、情報通知方法。
（付記１４）
キャリアアグリゲーションに対応した無線通信システムにおいてユーザ装置と通信する基地局が実行する情報受信方法であって、
前記ユーザ装置から、キャリアアグリゲーションにおけるバンドの組み合わせを示すバンド組み合わせ情報を受信する受信ステップと、
受信された前記バンド組み合わせ情報に含まれるバンドの組み合わせに応じて、前記ユーザ装置において使用可能なバンドの組み合わせを判定する判定ステップと、を有し、
前記判定ステップにおいて、前記バンド組み合わせ情報に、前記ユーザ装置におけるキャリアアグリゲーションで使用可能なバンド組み合わせのうち、組み合わせるＣＣ数が最も多い最上位のバンド組み合わせを示す最上位バンド組み合わせ情報が含まれている場合、前記ユーザ装置は、前記最上位のバンド組み合わせと、前記最上位のバンド組み合わせにおけるＣＣ数より少ないＣＣ数である全てのバンド組み合わせとを使用可能であると判定する、情報受信方法。
【０１２４】
＜実施形態の補足＞
方法の請求項は、サンプル的順序で様々なステップの要素を提示しており、請求項の中で明記していない限り、提示した特定の順序に限定されない。
【０１２５】
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１２６】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１２７】
なお、各実施の形態において、「ＣＡバンドコンビネーション情報」は、バンド組み合わせ情報の一例である。「最上位のＣＡバンドコンビネーションを示す情報」は、最上位バンド組み合わせ情報の一例である。「非対応のフォールバックバンドコンビネーションを示す情報」は、非対応バンド組み合わせ情報の一例である。また、「各種パラメータのうち最上位のＣＡバンドコンビネーションと異なるパラメータのみが設定されたフォールバックバンドコンビネーションの情報」は、例外バンド組み合わせ情報の一例である。
【０１２８】
本特許出願は２０１５年８月１３日に出願した日本国特許出願第２０１５−１５９９９５号に基づきその優先権を主張するものであり、日本国特許出願第２０１５−１５９９９５号の全内容を本願に援用する。
【符号の説明】
【０１２９】
ＵＥ  ユーザ装置
ｅＮＢ  基地局
１０１  ＤＬ信号受信部
１０２  ＵＬ信号送信部
１０３  ＵＥ能力情報格納部
１０４  生成部
２０１  ＤＬ信号送信部
２０２  ＵＬ信号受信部
２０３  ＣＡバンドコンビネーション情報格納部
２０４  ＵＥ能力判定部
１００１  プロセッサ
１００２  メモリ
１００３  ストレージ
１００４  通信装置
１００５  入力装置
１００６  出力装置
【図１Ａ】
2018137814.tif 000003
【図１Ｂ】
2018137814.tif 000004
【図１Ｃ】
2018137814.tif 000005
【図２】
2018137814.tif 000006
【図３Ａ】
2018137814.tif 000007
【図３Ｂ】
2018137814.tif 000008
【図４】
2018137814.tif 000009
【図５Ａ】
2018137814.tif 000010
【図５Ｂ】
2018137814.tif 000011
【図６】
2018137814.tif 000012
【図７】
2018137814.tif 000013
【図８】
2018137814.tif 000014
【図９】
2018137814.tif 000015
【図１０】
2018137814.tif 000016
【図１１】
2018137814.tif 000017
【図１２】
2018137814.tif 000018
【図１３】
2018137814.tif 000019
【図１４】
2018137814.tif 000020
【図１５】
2018137814.tif 000021
【図１６】
2018137814.tif 000022
【図１７】
2018137814.tif 000023
【図１８】
2018137814.tif 000024
【図１９】
2018137814.tif 000025
【図２０】
2018137814.tif 000026
【図２１】
2018137814.tif 000027
【図２２】
2018137814.tif 000028
【図２３Ａ】
2018137814.tif 000029
【図２３Ｂ】
2018137814.tif 000030
【図２４】
2018137814.tif 000031
【図２５】
2018137814.tif 000032
【図２６】
2018137814.tif 000033